(57)【要約】【課題】より適切に使用することが可能なソファーカバーを提供する。【解決手段】ソファーカバーは、座面、背もたれ、および肘掛けを備えたソファーを覆う。ソファーカバーは、本体の裏面側に、柱状または筒状の抜け止め部材２０を保持する保持部１０を備える。保持部１０はループ部１２を備える。ループ部１２は、ソファーカバーの本体の素材に比べて伸縮性が低い非伸縮性素材によって形成された紐状または帯状の部材であり、ソファーカバー本体に固定されてループを形成する。抜け止め部材２０は、ループ部１２によって形成されたループに挿入されることで保持部１０に保持される。【選択図】図３
2019000471.tif 000002
【特許請求の範囲】
【請求項１】
使用者が座る座面と、前記座面の後部から上方に延びる背もたれと、前記座面の左右の各々から上方に延びる肘掛けとを備えたソファーを覆うソファーカバーであって、
本体の裏面側に、柱状または筒状の抜け止め部材を保持する保持部を備え、
前記保持部は、
前記ソファーカバーの本体の素材に比べて伸縮性が低い非伸縮性素材によって形成された紐状または帯状の部材であり、前記本体に固定されてループを形成するループ部を備え、
前記抜け止め部材は、
前記ループ部によって形成されたループに挿入されることで前記保持部に保持されることを特徴とするソファーカバー。
【請求項２】
請求項１に記載のソファーカバーであって、
１つの前記保持部は２つの前記ループ部を備え、
１つの前記抜け止め部材は、１つの前記保持部が備える２つの前記ループ部の各々のループに挿入されることで、前記保持部に保持されることを特徴とするソファーカバー。
【請求項３】
請求項１または２に記載のソファーカバーであって、
紐状または帯状である前記ループ部の、長手方向の両端部の各々が、前記本体の異なる位置に固定されることを特徴とするソファーカバー。
【請求項４】
請求項１〜３のいずれかに記載のソファーカバーであって、
前記ループ部と、前記ループ部の周囲における前記ソファーカバーの本体の、色およびデザインの少なくとも一方が異なることを特徴とするソファーカバー。
【請求項５】
請求項１〜４のいずれかに記載のソファーカバーであって、
前記抜け止め部材をさらに備え、
前記抜け止め部材は、前記ソファーの表面に対する摩擦力を向上させる滑り止め部を外周面に備えたことを特徴とするソファーカバー。
【発明の詳細な説明】
【技術分野】
【０００１】
本開示は、座面、背もたれ、および肘掛けを有するソファーを覆うソファーカバーに関する。
【背景技術】
【０００２】
従来、ソファーを覆うソファーカバーが知られている。ソファーカバーによってソファーを覆うことで、ソファーの汚れおよび痛みが抑制される。また、使用者は、ソファーカバーを用いることで、ソファーの外観を好みの外観に変えることもできる。
【０００３】
しかし、ソファーカバーで覆われたソファーを使用者が使用すると、ソファーカバーがずれてしまう場合があった。座面と背もたれの間の隙間、および、座面と肘掛けの間の隙間にソファーカバーを押し込んで使用することも可能ではあるが、ソファーカバーの一部を隙間に押し込むだけでは、使用中にソファーカバーが簡単に隙間から抜け出てしまう場合が多い。
【０００４】
特許文献１に記載のソファーカバーは、カバー本体の裏側に、ゴムを有する伸縮可能な筒状バンドを備える。筒状バンドには、外周面に多数の凹凸が形成されたストッパー部材が装着される。筒状バンドに装着されたストッパー部材が、ソファーの隙間に差し込まれることで、ソファーカバーが隙間から抜け出ることが抑制される。
【先行技術文献】
【特許文献】
【０００５】
【特許文献１】特開２０１７−６４４２号公報
【発明の概要】
【発明が解決しようとする課題】
【０００６】
特許文献１のソファーカバーでは、ゴムを有する伸縮可能な筒状バンドによってストッパー部材が保持される。この場合、伸縮する筒状バンドからストッパー部材が抜けやすい。また、筒状バンドには、使用者がソファーに座った場合等に大きな負荷がかかるが、伸縮可能な筒状バンドは劣化および破損しやすいという問題点もある。さらに、ゴムを有する筒状バンドを設けることで、ソファーカバーの構造が複雑化するという問題点もある。
【０００７】
本開示の典型的な目的は、従来技術の課題の少なくとも１つを解決でき、より適切に使用することが可能なソファーカバーを提供することである。
【課題を解決するための手段】
【０００８】
本開示における典型的な実施形態が提供するソファーカバーは、使用者が座る座面と、前記座面の後部から上方に延びる背もたれと、前記座面の左右の各々から上方に延びる肘掛けとを備えたソファーを覆うソファーカバーであって、本体の裏面側に、柱状または筒状の抜け止め部材を保持する保持部を備え、前記保持部は、前記ソファーカバーの本体の素材に比べて伸縮性が低い非伸縮性素材によって形成された紐状または帯状の部材であり、前記本体に固定されてループを形成するループ部を備え、前記抜け止め部材は、前記ループ部によって形成されたループに挿入されることで前記保持部に保持される。
【０００９】
本開示におけるソファーカバーは、簡易な構造で、且つ、より適切に使用することができる。
【図面の簡単な説明】
【００１０】
【図１】ソファーカバー１およびソファー５０の斜視図である。
【図２】抜け止め部材２０の斜視図である。
【図３】抜け止め部材２０を保持した保持部１０を、ソファーカバー本体の裏面Ｂ側から見た斜視図である。
【発明を実施するための形態】
【００１１】
＜概要＞
本開示で例示するソファーカバーは、座面、背もたれ、および肘掛けを備えたソファーを覆う。ソファーカバーの裏面側には、柱状または筒状の抜け止め部材を保持する保持部が設けられている。保持部はループ部を備える。ループ部は、ソファーカバーの本体の素材に比べて伸縮性が低い非伸縮性素材によって形成された紐状または帯状の部材であり、ソファーカバー本体に固定されてループを形成する。抜け止め部材は、ループ部によって形成されたループに挿入されることで保持部に保持される。
【００１２】
本開示におけるソファーカバーは、非伸縮性素材のループ部によって抜け止め部材を保持するので、伸縮する部材によって抜け止め部材を保持する場合に比べて、抜け止め部材がループから抜けにくい。また、ループ部の劣化および破損も生じにくい。さらに、ゴム等を用いて抜け止め部材を保持する場合に比べて、抜け止め部材を保持するための構造も簡略化される。
【００１３】
なお、ループ部を構成する非伸縮性素材は適宜選択できる。例えば、伸縮しにくい布製の紐またはテープ、合成樹脂製（例えばナイロン製、ポリエステル製等）の紐またはテープ等を、ループ部の素材として採用できる。
【００１４】
１つの保持部は２つのループ部を備えていてもよい。１つの抜け止め部材は、２つのループに挿入されることで保持部に保持されてもよい。この場合、保持部は、柱状または筒状の抜け止め部材を２箇所で保持するので、抜け止め部材が安定して保持される。さらに、使用者は、３つ以上のループに１つの抜け止め部材を挿入する場合に比べて、抜け止め部材を容易に保持部に装着することができる。
【００１５】
ただし、１つの保持部が備える貫通孔の個数は適宜変更できる。例えば、１つまたは３つ以上のループ部によって、１つの抜け止め部材を保持することも可能である。
【００１６】
紐状または帯状であるループ部の、長手方向の両端部の各々が、ソファーカバー本体の異なる位置に固定されていてもよい。つまり、ループ部は、互いに離間した２つの位置で本体に固定されてもよい。この場合には、予めループ状（環状）とされたループ部の１箇所が本体に固定される場合に比べて、固定部においてソファーカバー本体にかかる負荷が減少する。よって、劣化および破損が生じる可能性がさらに低下する。ただし、予めループ状とされたループ部をソファーカバー本体に固定することも可能である。
【００１７】
ループ部と、ループ部の周囲におけるソファーカバー本体の、色およびデザインの少なくとも一方が異なっていてもよい。この場合には、ループ部とソファーカバー本体の色およびデザインが同じ場合に比べて、使用者はループ部の位置を把握し易い。従って、使用者は、より容易に抜け止め部材を保持部に装着することができる。なお、ループ部は、ソファーカバー本体の裏側に設けられていることに加え、抜け止め部材と共にソファーの隙間に差し込まれる。従って、ソファーカバーの使用時には、ループ部によってソファーの美感が損なわれることは無い。
【００１８】
ただし、ループ部とソファーカバー本体の色およびデザインは同じであってもよい。この場合、保持部および抜け止め部材を用いてソファーカバーをソファーに固定しない場合でも、ループ部によってソファーの美感が損なわれることが抑制される。
【００１９】
ソファーカバーは抜け止め部材を備えていてもよい。抜け止め部材は、ソファーの表面に対する摩擦力を向上させる滑り止め部を外周面に備えていてもよい。この場合、抜け止め部材がソファーの隙間から抜け出る可能性はさらに低下する。
【００２０】
なお、滑り止め部の具体的な構成は適宜選択できる。例えば、滑り止め部は多数の凹凸であってもよい。また、ソファーの表面に対する摩擦力が高い物質（例えば、発泡性樹脂またはゴム等）によって、滑り止め部が構成されてもよい。
【００２１】
＜実施形態＞
以下、本開示における典型的な実施形態について、図面を参照して説明する。以下の説明では、図１における紙面左下側をソファーカバー１およびソファー５０の前側、紙面右上側をソファーカバー１およびソファー５０の後側、紙面左上側をソファーカバー１およびソファー５０の右側、紙面右下側をソファーカバー１およびソファー５０の左側とする。
【００２２】
図１を参照して、本実施形態のソファーカバー１で覆うことが可能なソファー５０の構造の一例について説明する。ソファー５０は、座面５１、背もたれ５２、右肘掛け５３Ｒ、および左肘掛け５３Ｌを備える。座面５１は、使用者が座る部位であり、使用者を下方から支持する。背もたれ５２は、座面５１の後部から上方に延びる部位であり、使用者を後方から支持する。右肘掛け５３Ｒおよび左肘掛け５３Ｌ（まとめて「肘掛け５３Ｒ，５３Ｌ」という場合もある）は、座面５１の左右の各々から上方に延びる。
【００２３】
座面５１と背もたれ５２の間には、隙間５５が形成される。隙間５５は、ソファー５０の左右方向に延びる。座面５１と右肘掛け５３Ｒの間には、隙間５６Ｒが形成される。また、座面５１と左肘掛け５３Ｌの間には、隙間５６Ｌが形成される。隙間５６Ｒおよび隙間５６Ｌは、ソファー５０の前後方向に延びる。
【００２４】
図１を参照して、本実施形態のソファーカバー１の概略構成について説明する。本実施形態のソファーカバー１の本体は、伸縮性を有する生地（例えば、ポリエステル繊維、またはポリウレタン繊維等による生地）で形成されている。ただし、ソファーカバー１の本体の少なくとも一部が、伸縮性が低い素材で形成されていてもよい。本実施形態のソファーカバー１は、座面カバー部２、背もたれカバー部３、右肘掛けカバー部４Ｒ、および左肘掛けカバー部４Ｌを備える。
【００２５】
座面カバー部２は、ソファー５０の座面５１の上面を覆う。背もたれカバー部３は、少なくともソファー５０の背もたれ５２の前面を覆う。詳細には、本実施形態の背もたれカバー部３は、背もたれ５２の前面、上面、後面、および左右の側面の上部を覆うことができる。右肘掛けカバー部４Ｒは、少なくともソファー５０の右肘掛け５３Ｒの内側（左側）の側面を覆う。詳細には、本実施形態の右肘掛けカバー４Ｒは、右肘掛け５３Ｒの内側面、外側面、上面、前面、および後面を覆うことができる。左肘掛けカバー部４Ｌは、少なくともソファー５０の左肘掛け５３Ｌの内側（右側）の側面を覆う。詳細には、本実施形態の左肘掛けカバー４Ｌは、左肘掛け５３Ｌの内側面、外側面、上面、前面、および後面を覆うことができる。以上のように、本実施形態のソファーカバー１は、座面カバー部２、背もたれカバー部３、右肘掛けカバー部４Ｒ、および左肘掛けカバー部４Ｌによって、ソファー５０の底面を除く外周を覆うことができる。
【００２６】
ソファーカバー１の下端部近傍には、収縮部８が全周に渡って設けられている。収縮部８には、例えばゴム等を用いることができる。ソファーカバー１がソファー５０に装着されると、収縮部８によって、ソファーカバー１の下端部が内側に向けて収縮する。その結果、ソファー５０に装着されたソファーカバー１の見栄えが良好となる。
【００２７】
ソファーカバー１は、本体の裏面側の中央部に、抜け止め部材２０（図２参照）を保持する保持部１０を備える。詳細には、ソファーカバー１は、座面カバー部２と背もたれカバー部３の接続部５における裏面側、座面カバー部２と右肘掛けカバー部４Ｒの接続部６Ｒにおける裏面側、および座面カバー部２と左肘掛けカバー部４Ｌの接続部６Ｌにおける裏面側の少なくともいずれかに、保持部１０を備える。一例として、本実施形態のソファーカバー１は、座面カバー部２と背もたれカバー部３の接続部５の裏面側に、３つの保持部１０を備える。さらに、ソファーカバー１は、座面カバー部２と左右の肘掛けカバー部４Ｒ，４Ｌの接続部６Ｒ，６Ｌの各々の裏面側に、保持部１０を１つずつ備える（図１では、左側の接続部６Ｌにおける保持部１０の図示は省略されている）。保持部１０の詳細については後述する。
【００２８】
図２を参照して、抜け止め部材の一例について説明する。本実施形態の抜け止め部材２０の形状は、真っ直ぐな円柱状である。しかし、抜け止め部材の形状を変更することも可能である。例えば、抜け止め部材は、角柱状（三角柱状、四角柱状等の多角柱状）であってもよい。また、抜け止め部材は、筒状（例えば、円筒状、角筒状等）であってもよい。抜け止め部材における軸に垂直な断面の形状を、台形状または三角形状等とした場合、抜け止め部材は、ソファー５０の隙間５５，５６Ｒ，５６Ｌからさらに抜け出しにくくなる。また、抜け止め部材は、真っ直ぐな形状でなく曲がっていてもよい。抜け止め部材２０の軸方向の長さは、１０ｃｍ〜２０ｃｍであることが望ましい。本実施形態では、抜け止め部材２０の軸方向の長さは約１５ｃｍとなっている。
【００２９】
本実施形態の抜け止め部材２０は、芯部２１と外周部２２を備える。芯部２１は、スポンジ等の発泡性樹脂によって形成された円柱状の部材である。外周部２２は、芯部２１よりも密度が高い発泡性樹脂によって形成されており、芯部２１の外周面を覆う。
【００３０】
本実施形態の抜け止め部材２０は、ソファー５０の表面に対する摩擦力を上昇させる滑り止め部２３を外周面に備える。一例として、本実施形態における滑り止め部２３は、外周部２２の外周面に形成された多数の凹凸を備えることで、摩擦力を上昇させている。しかし、滑り止め部の構成を変更することも可能である。例えば、抜け止め部材の外周部の素材を、摩擦力が高い素材（ゴム等）とすることで、滑り止め部が構成されてもよい。
【００３１】
図３を参照して、本実施形態の保持部１０について詳細に説明する。保持部１０は、ソファーカバー１の本体の素材に比べて伸縮性が低い非伸縮性素材によって形成されたループ部１２を備える。ループ部１２は、ソファーカバー１の本体に固定されてループを形成する。
【００３２】
本実施形態のループ部１２は、帯状の部材である。しかし、ループ部１２の形状は、他の形状（例えば紐状等）であってもよい。また、ループ部１２を構成する非伸縮性素材は適宜選択できる。例えば、伸縮しにくい布製の紐またはテープ、合成樹脂製（例えばナイロン繊維、ポリエステル繊維等）の紐またはテープ等を、ループ部１２の素材として採用できる。
【００３３】
本実施形態では、帯状であるループ部１２の、長手方向の両端部１４１，１４２の各々が、ソファーカバー１の本体の異なる位置に固定されている。つまり、ループ部１２は、互いに離間した２つの位置の各々で、ソファーカバー１の本体に固定されている。その結果、本実施形態では、ループ部１２とソファーカバー１の本体の生地によって、抜け止め部材２０が挿入されるループが形成される。この場合には、予めループ状とされたループ部の１箇所が本体に固定される場合に比べて、固定部においてソファーカバー１の本体にかかる負荷が減少する。
【００３４】
本実施形態では、ループ部１２と、ループ部１２の周囲におけるソファーカバー１の本体では、色およびデザインの少なくとも一方が異なっている。従って、使用者は、ループ部１２の位置を容易に把握することができる。なお、ループ部１２は、ソファーカバー１の本体の裏側において、抜け止め部材２０と共にソファー５０の隙間５５，５６Ｒ，５６Ｌ（図１参照）に差し込まれる。従って、ソファーカバー１の使用時には、ループ部１２によって美感が損なわれることは無い。
【００３５】
また、本実施形態では、１つの保持部１０は２つのループ部１２を備える。１つの抜け止め部材２０は、１つの保持部１０が備える２つのループ部１２によって保持される。その結果、抜け止め部材２０が安定して保持される。さらに、使用者は、３つ以上のループに１つの抜け止め部材２０を挿入する場合に比べて、抜け止め部材２０を容易に保持部１０に装着することができる。
【００３６】
図３を参照して、本実施形態のソファーカバー１の使用方法について説明する。まず、使用者は、それぞれの保持部１０が有する２つのループ部１２の各々によって形成された２つループに、抜け止め部材２０を挿入する。その結果、抜け止め部材２０が保持部１０に保持される。前述したように、ループ部１２は非伸縮性素材によって形成されているので、伸縮する素材によってループ部１２が形成されている場合に比べて、抜け止め部材２０がループから抜けにくい。ループ部１２の劣化および破損も生じにくい。
【００３７】
次いで、使用者は、保持部１０に装着した抜け止め部材２０を、ソファー５０の隙間５５，５６Ｒ，５６Ｌ（図１参照）に差し込む。その結果、ソファーカバー１のずれが適切に抑制される。
【符号の説明】
【００３８】
１    ソファーカバー
１０    保持部
１２    ループ部
２０    抜け止め部材
２３    滑り止め部
５０    ソファー
５１    座面
５２    背もたれ
５３Ｒ    右肘掛け
５３Ｌ    左肘掛け
【図１】
2019000471.tif 000003
【図２】
2019000471.tif 000004
【図３】
2019000471.tif 000005